(57)【要約】【課題】対物レンズとステージとの干渉を防止できる顕微鏡用ペトリ皿とこれの蓋部材を提供する。【解決手段】標本３０を収納する収納部３と、前記収納部３上部の外周部に結合されて前記外周部の外方に延設された鍔部５とからなり、前記鍔部５が前記顕微鏡のステージに支持されたとき、前記収納部３が前記ステージよりも前記顕微鏡の対物レンズ側に配置されること。【選択図】  図１
2004317957.tif 000002
【特許請求の範囲】
【請求項１】
標本を収納する収納部と、
前記収納部上部の外周部に結合されて前記外周部の外方に延設された鍔部とからなり、
前記鍔部が前記顕微鏡のステージに支持されたとき、前記収納部が前記ステージよりも前記顕微鏡の対物レンズ側に配置されることを特徴とする顕微鏡観察用ペトリ皿。
【請求項２】
前記鍔部は、前記鍔部の外周部に結合され前記鍔部から上方向に延設された壁部を有することを特徴とする請求項１に顕微鏡観察用ペトリ皿。
【請求項３】
前記壁部の外周部には、前記壁部の略一周に亘って少なくとも１つの突起が設けられていることを特徴とする請求項２に記載の顕微鏡用ペトリ皿。
【請求項４】
前記壁部の外径より僅かに大きい間隔を有する側壁部と、該側壁部の上端に結合された上板部とからなり、
前記側壁部の内周面には、凸部が前記内周面の略一周に亘って設けられていることを特徴とする請求項１から３のいずれか１項に記載の顕微鏡用ペトリ皿の蓋部材。
【請求項５】
前記凸部は、前記鍔部または前記突起部に引っ掛かり、前記収容部を保持可能であることを特徴とする請求項４に記載の顕微鏡用ペトリ皿の蓋部材。
【請求項６】
前記蓋部材の前記側壁部の全高は、前記収容部の全高または前記収容部と前記壁部とを合わせた全高より高く形成されていることを特徴とする請求項４または５に記載の顕微鏡用ペトリ皿の蓋部材。
【請求項７】
前記蓋部材は、前記上板部の前記収容部側の外周部に溝部が設けられていることを特徴とする請求項４から６のいずれか１項に記載の顕微鏡用ペトリ皿の蓋部材。
【請求項８】
前記溝部には、着脱可能なパッキンが設けられていることを特徴とする請求項７に記載の顕微鏡用ペトリ皿の蓋部材。
【発明の詳細な説明】
【０００１】
【発明の属する技術分野】
本発明は、培養容器に関し、特に顕微鏡用ペトリ皿に関する。
【０００２】
【従来技術】
細胞や組織片などの標本を培養して、顕微鏡で被培養物標本をペトリ皿の下面のカバーガラスを介して観察可能なペトリ皿が提案されている（特許文献１参照。）。このタイプのペトリ皿は、標本観察時、ステージに設けられた標本観察用孔の上に設置され、ステージ下方から対物レンズによりペトリ皿中の標本を観察している。
【０００３】
【特許文献１】
特開２００１−１７１５７号公報
【０００４】
【発明が解決しようとする課題】
標本はカバーガラスの上面（ステージ面とは対向する面）に付着している。この状態の標本を、上述したように高倍率の対物レンズを用いてカバーガラスの下面方向から観察しようとすると、合焦状態では対物レンズがステージにより近く位置することになる。このため、標本の位置を変えるためにステージを移動させる場合、またはリボルバーに搭載されている別の対物レンズと交換しようとすると高倍率の対物レンズの先端がステージと干渉するという問題がある。
【０００５】
本発明は、上記問題に鑑みて行われたものであり、使いやすい顕微鏡用ペトリ皿とこれの蓋部材を提供することを目的としている。
【０００６】
【課題を解決するための手段】
上記目的を達成するために、本発明は、標本を収納する収納部と、前記収納部上部の外周部に結合されて前記外周部の外方に延設された鍔部とからなり、前記鍔部が前記顕微鏡のステージに支持されたとき、前記収納部が前記ステージよりも前記顕微鏡の対物レンズ側に配置されることを特徴とする顕微鏡観察用ペトリ皿を提供する。
【０００７】
また、本発明の顕微鏡用ペトリ皿では、前記鍔部は、前記鍔部の外周部に結合され前記鍔部から上方向に延設された壁部を有することが好ましい。
【０００８】
また、本発明の顕微鏡用ペトリ皿では、前記壁部の外周部には、前記壁部の略一周に亘って少なくとも１つの突起が設けられていることが好ましい。
【０００９】
また、本発明は、前記壁部の外径より僅かに大きい間隔を有する側壁部と、該側壁部の上端に結合された上板部とからなり、前記側壁部の内周面には、凸部が前記内周面の略一周に亘って設けられていることを特徴とする顕微鏡用ペトリ皿の蓋部材を提供する。
【００１０】
また、本発明の顕微鏡用ペトリ皿の蓋部材では、前記凸部は、前記鍔部または前記突起部に引っ掛かり、前記収納部を保持可能であることが好ましい。
【００１１】
また、本発明の顕微鏡用ペトリ皿の蓋部材では、前記蓋部材の前記側壁部の全高は、前記収納部の全高または前記収納部と前記壁部とを合わせた全高より高く形成されていることが好ましい。
【００１２】
また、本発明の顕微鏡用ペトリ皿の蓋部材では、前記蓋部材は、前記上板部の前記収納部側の外周部に溝部が設けられているが好ましい。
【００１３】
また、本発明の顕微鏡用ペトリ皿の蓋部材では、前記溝部には、着脱可能なパッキンが設けられていることが好ましい
【００１４】
【発明の実施形態】
本発明の一実施の形態を図面を参照しつつ説明する。
【００１５】
図１は、本発明の第１実施形態にかかる顕微鏡用ペトリ皿を示す図であり、（ａ）は容器本体の断面図を、（ｂ）は蓋部材の断面図を、（ｃ）は容器本体に標本が入れられ蓋部材がされている状態の断面図を示している。図２は、本発明にかかる顕微鏡用ペトリ皿容器本体を顕微鏡ステージに載置して対物レンズでの観察状態を示している。図３は、本発明にかかる顕微鏡用ペトリ皿容器本体の別の支持方法の一例を示している。
【００１６】
図１（ａ）において、標本を底部１に収納する有底円筒状の収納部３と、収納部３の上端に結合されて外周方向に延設する円板状の鍔部５と、鍔部５の外周部に結合され、鍔部５の上方に延設した略円筒状の壁部７とから容器本体１０が形成されている。また、底部１には開口部９が形成されており、この開口部９にはカバーガラス１１がシリコン系接着剤やアクリレート系接着剤によって、底部１の外側の面に接着されている。さらに、収納部３の外周の直径は、後述する顕微鏡のステージに設けられている標本観察用孔の直径より小さく形成されており、ペトリ皿１０をステージに設置したとき、収納部３がステージの下部（顕微鏡の対物レンズ側）に必ず突出するように形成されている。また、壁部７の外周面には、後述する蓋部材を引っ掛けて蓋が外れないようにするための突起７ａ、７ｂが、外周部の略一周に亘って設けられている。このようにして、容器本体１０が形成されている。
【００１７】
なお、この容器本体１０は、ポリスチレンなどの合成樹脂から形成されており、射出成型等により一体的に形成された後、開口部９を設けカバーガラス１１を接着する。また、カバーガラス１１は、底部１の内側の面に接着してあっても良い。また、突起７ａ，７ｂのうち、７ａのみが形成されていても良い。
【００１８】
図１（ｂ）は、図１（ａ）に示した容器本体１０の蓋部材２０を示している。蓋部材２０は、断面が略コ字形状であり、容器本体１０の壁部７の外径より僅かに大きな内径を有する円筒状の側壁部２１と、側壁部２１の上端部に結合された上板部２３とから形成されている。円筒状の側壁部２１の内周側に容器本体１０の突起７ａ，７ｂに引っ掛かる凸部２１ａが形成されている。また、上板部２３の内側（容器本体１０が入る側）の外周部にはパッキン２６を入れるための溝部２５が形成されている。このようにして、蓋部材２０が形成されている。
【００１９】
なお、蓋部材２０も容器本体１０と同様に、ポリスチレンなどの合成樹脂から形成されており、射出成型等により一体的に形成される。
【００２０】
図１（ｃ）は、容器本体１０に蓋部材２０で蓋をした状態を示している。カバーガラス１１の上に標本３０が付着され、標本の乾燥等を防ぐために培養液３１が満たされている。容器本体１０の壁部７に形成された突起７ａ、７ｂと蓋部材２０の円筒状の側壁部２１に形成された凸部２１ａとが引っ掛かり、容器本体１０と蓋部材２０とが外れないようになる。突起７ａと凸部２１ａとで容器本体１０を所定の高さに保持する。突起７ｂは、容器本体１０と蓋部材２０とのガタ付きを抑えるためのストッパーの役目をしている。よって、突起７ａのみでも容器本体１０の保持が可能である。また、壁部７は設けず、凸部２１ａに鍔部５の下面が引っ掛かるように形成してあっても同様の効果を奏する。
【００２１】
また、上板部２３の内側には、容器本体１０の壁部１０の上端部に圧接して、標本３０を入れた空間の気密性を保持し、乾燥や塵等の進入を防止するための溝部２５にパッキン２６が設けられている。なお、パッキン２６は溝部２５から着脱可能であり、パッキン２６を装着したときには、気密性の保持や溶液こぼれの防止等が可能となり、またパッキン２６を外したときには、蓋をしたままで容器内外の通気性を保つことができる。
【００２２】
また、容器本体１０に蓋部材２０で蓋をしたとき、容器本体１０のカバーガラス１１の外側表面を保護するために、円筒部２１の全高は容器本体１０の全高より高く形成されている。このため、蓋をしてテーブル４０等に載置したとき、テーブル４０の表面とカバーガラス１１との間に空間Ｄが形成され、カバーバラス１１がテーブル表面に接する事がなく、カバーガラス１１の傷や汚れの心配もない。
【００２３】
なお、蓋をしないで容器本体１０をテーブル４０等に置く場合には、図示しない専用のスタンド上に置くことにより、カバーガラス１１の傷、汚れを防止するようにする。
【００２４】
図２は、本発明にかかる顕微鏡用ペトリ皿の容器本体１０を倒立型顕微鏡のステージ５０に載置して、対物レンズ６０を合焦状態にした場合を示している。本実施形態では、収納部３の外周の直径が、ステージ５０に形成されている標本観察孔５１の直径より小さく形成されている。このため、収納部３は標本観察孔５１内に落とし込まれ、容器本体１０の鍔部５の下面がステージ５０の表面に支持されて容器本体１０を保持し、標本３０が付着しているカバーガラス１１の位置が、ステージ表面より対物レンズ６０側に突出した状態で保持される。この結果、対物レンズ６０の先端の位置は、ステージ５０の下部から離れた位置に配置することができるため、標本３０の観察位置を変える場合や対物レンズ６０をリボルバー６１に取付けられた別の対物レンズ６３に交換する場合でも、対物レンズ６０、６３の先端とステージ５０の下部が干渉することはない。
【００２５】
なお、ステージ５０の標本観察孔５１が、鍔部５の外周部の直径より大きい場合には、収納部３が通る穴を空け、標本観察孔５１より大きな直径を有する円板状の補助板をステージ５０と鍔部５との間に設けることによって、容器本体１０を上述のように保持でき、標本３０の観察が可能となる。
【００２６】
次に、図３に本発明にかかる顕微鏡用ペトリ皿の別の支持方法例を示す。図３において、ステージ７０には容器本体１０の鍔部５を支持する鍔部支持部材７１、７１が設けられ、ネジ７３、７３でステージ７０に取付けられている。この鍔部支持部材７１、７１は、標本観察孔５１の両側に略平行に２本配置されている。鍔部支持部材７１、７１は、ステージ７０の下面にネジ７３、７３で取付けられるステージ７０に略平行な部分７１ａ、７１ａと、略平行な部分７１ａ、７１ａから延在して容器本体１０の壁部７の高さ方向をステージ７０の下面と鍔部支持部材７１、７１との間に挟み込めるような距離を形成する曲げ部分７１ｂ、７１ｂと、曲げ部分７１ｂ、７１ｂから延在してペトリ皿１０鍔部５を支える支持部７１ｃ、７１ｃとから形成されている。支持部７１ｃ、７１ｃとの間隔は、容器本体１０の収納部３の直径より広い間隔を有し、鍔部５の直径よりは小さい間隔となるように形成されて固定されている。
【００２７】
ステージ７０と鍔部支持部材７１との間に形成された空間に容器本体１０の鍔部５と壁部７とを挿入することによって、標本３０の入った容器本体１０をステージ７０の対物レンズ６０側に保持することが可能となる。この結果、観察位置の変更や対物レンズの交換の際にも、対物レンズ６０の先端がステージ７０と干渉することがなくなる。なお、ステージ７０の下面と鍔部支持部材７１ｃとの間の空間７５は、使用する容器本体の壁部７の長さによって可変できるように形成しておけば、さらに使い易くなる。なお、このような構成の際には、ステージ７０に標本観察孔５１はなくても良い。また、鍔支持部材７１をステージ７０の標本観察孔５１に装着固定できるアダプター部材としても良い。
【００２８】
また、壁部７がなく、鍔部５のみの容器でもよい。また、容器本体の収納部の形状は、円柱形や角柱形等、どのような形状でも良い。
【００２９】
このように、本発明によれば、標本の観察位置の変更や対物レンズの交換に伴って生じるステージとの干渉が起こらないため、対物レンズの交換のためにレンズを後退させる必要がなくなり、標本観察の操作性が向上する。
【００３０】
なお、上述の実施の形態は例に過ぎず、上述の構成や形状に限定されるものではなく、本発明の範囲内において適宜修正、変更が可能である。
【００３１】
【発明の効果】
上述のように、本発明では、対物レンズとステージとの干渉を防止できる顕微鏡用ペトリ皿とこれの蓋部材を提供することができる。
【図面の簡単な説明】
【図１】本発明の第１実施形態にかかる顕微鏡用ペトリ皿を示すずであり、（ａ）は容器本体の断面図を、（ｂ）は蓋部材の断面図を、（ｃ）は容器本体に標本が入れられ蓋部材がされている状態の断面図を示している。
【図２】本発明にかかるペトリ皿を顕微鏡ステージに載置して対物レンズでの観察状態を示している。
【図３】本発明にかかる顕微鏡用ペトリ皿の別の支持方法例を示している。
【符号の説明】
１      底部
３      収納部
５      鍔部
７      壁部
９      開口部
１０    容器本体
１１    カバーガラス
２０    蓋部材
２１    側壁部
２３    上板部
２５    溝部
２６    パッキン
３０    標本
３１    培養液
４０    テーブル
５０、７０    ステージ
５１    標本観察孔
６０、６３    対物レンズ
６１    リボルバー
７１    鍔部支持部材
７３    ネジ
【図１】
2004317957.tif 000003
【図２】
2004317957.tif 000004
【図３】
2004317957.tif 000005